(57)【要約】【解決手段】実施形態は、ブーツや靴などのフットウェアに関連し、より詳細には、フットウェアおよび着用者の足の温度を制御可能に調節しおよび／または変更するための温度制御素子を備えるライナーなどの取り外し可能な素子を有するフットウェアに関する。様々な実施形態は、ライナー内の温度制御素子に結合するように構成されたフットベッド内の電気接点、電源、コントローラ、およびフットウェア上部に結合されたアクチュエータを備える。【選択図】図２
2013509964.tif 000002
【特許請求の範囲】
【請求項１】
フットウェア用の温度制御システムであって、
フットウェアの温度を変更するように構成された温度制御素子を有し、第１電気接点を有する取り外し可能ライナーと、
第２電気接点を有し、前記第１および第２電気接点が互いに結合するように構成された、フットベッドと、
前記第２電気接点に電力を供給するように構成された電源と、
前記電源と結合し前記温度制御素子を制御するように構成されたコントローラと、
を備える温度制御システム。
【請求項２】
前記コントローラと結合し前記温度制御システムを作動させるように構成されたアクチュエータをさらに備える請求項１に記載の温度制御システム。
【請求項３】
前記電源、コントローラ、および／またはアクチュエータが前記フットウェアと取り外し可能に結合されることを特徴とする請求項２に記載の温度制御システム。
【請求項４】
前記温度制御システムが加熱および／または冷却素子と基板とを備えることを特徴とする請求項１に記載の温度制御システム。
【請求項５】
前記加熱および／または冷却素子が金属導体を備えることを特徴とする請求項４に記載の温度制御システム。
【請求項６】
前記金属導体がＦｅＣｒＡｌ合金を含むことを特徴とする請求項５に記載の温度制御システム。
【請求項７】
前記加熱および／または冷却素子が、圧電式または熱電式の加熱器および／または冷却器を含むことを特徴とする請求項４に記載の温度制御システム。
【請求項８】
前記加熱および／または冷却素子が、前記取り外し可能ライナーの爪先領域に配置されれることを特徴とする請求項４に記載の温度制御システム。
【請求項９】
前記加熱および／または冷却素子が、前記取り外し可能ライナーのかかと領域と爪先領域の両方に配置されることを特徴とする請求項４に記載の温度制御システム。
【請求項１０】
前記加熱および／または冷却素子が、前記取り外し可能ライナーの表面の実質的に全体を覆うように配置されることを特徴とする請求項４に記載の温度制御システム。
【請求項１１】
前記基板が架橋ポリエチレン（ＰＥＸ）またはポリイミド（ＰＩ）を含むことを特徴とする請求項４に記載の温度制御システム。
【請求項１２】
前記第１電気接点が第１正極と第１負極とを有し、前記第２電気接点が第２正極と第２負極とを有することを特徴とする請求項１に記載の温度制御システム。
【請求項１３】
前記第２正極と第２負極がそれぞれ少なくとも０．５平方インチの面積を有することを特徴とする請求項１２に記載の温度制御システム。
【請求項１４】
前記第１および第２電気接点が磁気素子を含むことを特徴とする請求項１に記載の温度制御システム。
【請求項１５】
前記第１および第２電気接点が雄型および雌型の結合素子を含むことを特徴とする請求項１に記載の温度制御システム。
【請求項１６】
前記第１電気接点が雄型結合素子を含み、前記第２接点が雌型結合素子を含むことを特徴とする請求項１５に記載の温度制御システム。
【請求項１７】
前記コントローラが集積回路ベースのシステムを含み、
前記コントローラが、前記電源によって前記温度制御素子に提供される電流を調整するように構成されることを特徴とする請求項１に記載の温度制御システム。
【請求項１８】
前記電源がバッテリーであることを特徴とする請求項１に記載の温度制御システム。
【請求項１９】
前記バッテリーが再充電可能であることを特徴とする請求項１８に記載の温度制御システム。
【請求項２０】
前記コントローラが前記バッテリーを収容するように構成されることを特徴とする請求項１８に記載の温度制御システム。
【請求項２１】
前記コントローラがプログラム可能であることを特徴とする請求項１に記載の温度制御システム。
【請求項２２】
前記コントローラがＵＳＢポートまたはマイクロＵＳＢポートを備えることを特徴とする請求項２１に記載の温度制御システム。
【請求項２３】
フットウェア用の温度制御システムであって、
フットウェアの温度を変更するように構成された温度制御素子を有し、第１電気接点を有する取り外し可能ライナーと、
第２電気接点を有し、前記第１および第２電気接点が互いに結合するように構成され、前記第１および第２電気接点が磁気素子を含む、フットベッドと、
前記第２電気接点に電力を供給するように構成された電源と、
前記電源と結合し前記温度制御素子を制御するように構成されたコントローラと、
前記コントローラと結合し前記温度制御システムを作動させるように構成されたアクチュエータと、を備え、
前記電源、コントローラおよびアクチュエータが前記フットウェア上部と取り外し可能に結合されることを特徴とする温度制御システム。
【発明の詳細な説明】
【技術分野】
【０００１】
（関連出願の相互参照）
本出願は、「フットウェア温度制御方法および装置」と題する２００９年１１月５日に出願された米国仮特許出願第６１／２５８，５５４号の優先権を主張し、その開示の全体が参照により本明細書に援用される。
【０００２】
（技術分野）
本明細書の実施形態は、ブーツや靴などのフットウェアに関する。より詳細には、フットウェアおよび着用者の足の温度を制御可能に調節および／または変更する温度制御部品を備えた、ライナー、ブーティーまたはインソールなどの取り外し可能な部品を有するフットウェアに関する。
【背景技術】
【０００３】
フットウェアは、温度変動が着用者の快適さおよび安全に重大な影響を与え得る状況で着用されることが多い。寒い環境で着用者の足を暖かい状態に保持するため、フットウェアは典型的に様々な絶縁材料を備える。幾分効果的ではあるが、厳寒環境においては、絶縁のみでは十分に安全を維持することができず、快適さがと足の温度がかなり低くなることがある。さらに、絶縁されたフットウェアは、より暖かな環境や、着用者が多量のエネルギーを行使するような状況では、フットウェアが熱および湿気を捉えて足が熱くなりすぎることがあるので、問題になることがある。さらに、末梢動脈障害やレーノー（Raynaud's）現象などの循環系の問題を有する個人は、寒い環境においては特に足の温度を調節することが困難な場合がある。
【発明の概要】
【発明が解決しようとする課題】
【０００４】
電気加熱システムをフットウェアの本体内に組み込み、携帯用電源によって電力を供給するシステムが開発されてきた。しかしながら、これらの加熱システムは非常に故障しやすい。例えば、加熱素子はもろく容易に壊れることがある。導体経路が破壊されると、加熱したフットウェアは使用不可能になる。加熱部品がフットウェア内に組み込まれている性質上、一旦壊れると、これらのシステムを修理することができないか、または修理コストが非常に高くなる。さらに、フットウェアのアッパー、ミッドソール、またはアウトソール内の素子の配置が労働集約的であり、導体の損傷を避けるために正確な縫い付けが必要になるので、加熱素子をフットウェア内に組み込むことは製造上非常に困難である。
【課題を解決するための手段】
【０００５】
添付の図面と以下の詳細な説明によって実施形態が容易に理解されるだろう。実施形態は例示を目的として示されており、添付の図面に限定することを目的として示されるものではない。
【図面の簡単な説明】
【０００６】
【図１】様々な実施形態に係る、フットウェアで使用する取り外し可能ライナーの上面図（Ａ）、底面図（Ｂ）および側面図（Ｃ）である。
【図２】様々な実施形態に係る取り外し可能ライナーとフットベッドの斜視図である。
【図３】Ａ、Ｂは、様々な実施形態に係る取り外し可能ライナーとともに用いる電気結合メカニズムを示す図である。
【図４】様々な実施形態に係る取り外し可能ライナーの分解図（Ａ）、上面図（Ｂ）、側面図（Ｃ）および底面図（Ｄ）である。
【図５】様々な実施形態に係る、電気結合メカニズムの分解図（Ａ）、電気結合メカニズムを有する取り外し可能ライナーの上面図（Ｂ）、底面図（Ｃ）および側面図（Ｄ）である。
【図６】様々な実施形態に係る例示的なフットウェア温度制御システムのいくつかの部品の模式図である。
【図７】温度制御素子の一実施形態を備えるフットウェアの一例の左側面図（Ａ）、右側面図（Ｂ）および背面図（Ｃ）である。
【発明を実施するための形態】
【０００７】
以下の詳細な説明では、説明の一部を形成するとともに、実施可能な実施形態を図解する目的で示される添付の図面を参照する。他の実施形態も利用可能であり、発明の範囲から逸脱することなく構造的または論理的な変更をなし得ることを理解すべきである。したがって、以下の詳細な説明は限定的な意味で取られるべきではなく、実施形態の範囲は添付の特許請求の範囲およびその等価物によって規定される。
【０００８】
実施形態の理解に役立つように、様々な動作を複数の個別の動作として説明することがあるが、説明の順序が、これらの動作が順序に依存することを意味するものと解釈されるべきではない。
【０００９】
説明目的のために、”Ａ／Ｂ”の形式または”Ａおよび／またはＢ”の形式の表現は、（Ａ）、（Ｂ）または（ＡおよびＢ）を意味する。説明目的のために、「Ａ、ＢおよびＣの少なくとも一つ」という形式の表現は、（Ａ）、（Ｂ）、（Ｃ）、（ＡおよびＢ）、（ＡおよびＣ）、（ＢおよびＣ）または（Ａ、ＢおよびＣ）を意味する。説明目的のために、（Ａ）Ｂの形式の表現は、（Ｂ）または（ＡＢ）であること、すなわちＡが選択的な要素であることを意味する。
【００１０】
この説明は、一つ以上の同一のまたは異なる実施形態をそれぞれ指し示す「実施形態（embodiment）」または「実施形態（embodiments）」の用語を使用することがある。さらに、「含む」「備える」「有する」などの用語は、実施形態に関して使用する場合は同義である。
【００１１】
様々な実施形態において、温度制御フットフェアが提供される。ソックライナー、フットベッド、インソール、ブーティーなどの取り外し可能なライナーが、その中に配置される温度制御素子（本明細書では「ＴＣＥ」と呼ばれる）を備えてもよい。携帯用電源（例えばバッテリーまたは電池）に接続されると、ＴＣＥは、ライナーの温度を上昇および／または低下させ、着用者の足で知覚されるフットウェアの温度を上昇および／または低下させるように構成されてもよい。一部の実施形態では、電気接触素子がライナー外部の中または上に配置され、フットウェア本体の中または上に（例えば、フットベッドの上部またはミッドソール、アウトソール等の上に）位置する対応電気接触素子と接触して、電気結合および携帯用電源とＴＣＥの制御を容易にするように構成されていてもよい。
【００１２】
ＴＣＥは、加熱素子、冷却素子、またはその組み合わせを備えてもよい。一部の実施形態では、加熱素子は、ライナーに結合された基板にはめ込み、エッチング、または印刷された金属ベースの導体であってもよい。一部の実施形態では、加熱素子および／または冷却素子は、ライナーの温度を制御可能な一つ以上の圧電式および／または熱電式の加熱器および／または冷却器を備えていてもよい。
【００１３】
様々な実施形態では、コントローラ、電源、アクチュエータおよび／または温度レギュレータがＴＣＥと電気的に結合され、電源を調節してライナーの温度を望み通りに制御するように構成されていてもよい。温度レギュレータおよび電源がフットウェア上に配置されてもよく、この結果、例えばコントローラ上の設定を操作することによって、着用者がライナーの温度を制御してもよいし、あるいは、例えば有線または無線インタフェースを使用してライナーの温度を遠隔制御してもよい。他の実施形態では、サーモスタットを用いてライナーの温度を自動的に制御してもよい。
【００１４】
図１Ａ−Ｃは、様々な実施形態に係るフットウェアライナーとＴＣＥの一例を示す。様々な実施形態では、ライナー１０は、種々の形状および構造を有するフットウェアと取り外し可能にかみ合うような大きさであってもよい。図示のように、ライナー１０は、その中に配置され、熱源および／または冷却源を提供するように構成されたＴＣＥ２０を備えていてもよい。様々な実施形態では、ＴＣＥ２０は、ライナー１０の少なくとも一部に戦略的にパターン化された一つ以上の導体２２を備えてもよい。図１Ａに示すように、一部の実施形態では、導体２２の分布が、ライナーの前方すなわち拇指球／爪先部分に集中していてもよい。爪先および／または足の前部は、通常、血液循環の低下のために冷たくなったり熱くなりすぎたりする足の部分であるので、これは有利な構造である。他の実施形態では、導体２２がライナー１０の表面全体を実質的に覆い、足全体を加熱または冷却してもよいし、または導体２２がライナーのかかとと爪先の両方の領域に配置されてもよいし、必要に応じて他のゾーンまたはパターンであってもよい。加熱素子と冷却素子の両方を有する実施形態では、加熱および冷却導体２２が、ライナー１０の相異なる領域にちりばめられたり交互にされたり近接して配置されたりしてもよい。
【００１５】
様々な実施形態では、導体２２は、架橋ポリエチレン（ＰＥＸ）、ポリイミド（ＰＩ）、ポリ塩化ビニル（ＰＶＣ）、塩素化ポリ塩化ビニル（ＣＰＶＣ）、（ポリエチレンなどの）ポリオレフィン、熱可塑性エラストマー（ＴＰＥ）、熱可塑性ウレタン（ＴＰＵ）、エチレン酢酸ビニル（ＥＶＡ）などの基板、または全体的に薄く柔軟であり温度変動の影響を受けにくい別の基板によって担持されてもよい。導体２２は、例えば、基板に堆積、エッチング、印刷および／または成形された金属線または金属ベースの配線を含んでもよい。一部の実施形態では、例えば銀イオンまたは銅スレッドを有する導電性ファブリックなどの他の導電性材料を使用してもよい。様々な実施形態では、導体２２が例えば正負の電気端子である接点２４、２６を含む接点グループまで延びてもよいし、および／または接点グループで終結してもよい。
【００１６】
一部の実施形態では、図１Ａおよび１Ｂに示すように、ＴＣＥ２０がライナー１０の上面１３に配置されてもよく、接点グループ２８がライナー１０の下面または底面１５に配置されてもよい。図１Ｃに示すように、ＴＣＥ２０は、例えばスロット２１を通して上面１３から下面１５へとライナー１０を貫通してもよい。図２Ａおよび２Ｂにさらに示すように、様々な実施形態では、接点グループ２８がライナー１０の下面１５に配置され、対応する接点グループ３８と係合するようにさらに構成されていてもよい。対応する接点グループ３８は、例えばフットベッド３０（図３−４も参照）であるフットウェアの本体に結合されてもよく、これによって電気結合を提供する。一部の実施形態では、接点グループ３８が対応する正負の電気接点３４、３６を備え、例えばアウトソール、ミッドソール、またはフットウェアライニングなどのライナー１０の下面１５と接触するフットウェア内部の任意の部分に配置されてもよい。他の実施形態では、接点３４と３６、すなわち接点グループ３８が、フットウェアの側面や例えばかかと近傍である後部などの、フットウェア内部の他の部分に配置されてもよい。加えて、一部の実施形態では、電源、コントローラ、アクチュエータ、または他の部品と電気接点３４、３６とを結合するために、電線管３１と選択的なクイックリリース式電気結合部３３とが設けられていてもよい。
【００１７】
様々な実施形態では、電気接点２４、２６、３４および３６が、任意の適切な金属または非金属の導電性材料で作られてもよい。一部の実施形態では、ライナー１０および／またはフットウェア本体の屈曲にしたがうとともに、様々なライナーまたはフットウェアのトポグラフィーを収容するように、接点２４、２６、３４および３６、および／または接点グループ２８、３８が柔軟性を有していてもよい。様々な実施形態では、電気伝導性を破壊する傾向がある、対応する接点間の相対移動および／または分離への抵抗を助けるように、接点２４、２６が接点３４、３６と互いに取り外し可能に結合するように構成されてもよい。例えば、一実施形態では、導電性ベルクロ（登録商標）などの導電性のある面ファスナー（hook-and-loop-type）材料を使用して、ライナー１０上の接点２４、２６と、フットウェア本体上の対応する接点３４、３６との間を結合してもよい。別の実施形態では、接点グループ２８、３８の一方が凹んでおり、接点グループ２８、３８の他方が突出して凹んだ接点グループと係合してもよい。
【００１８】
他の実施形態では、図３Ａおよび３Ｂに示すように、接点２４、２６、３４および３６が導電性の磁気接点であってもよい。例えば、接点２４、２６、３４および／または３６は、意図しない分離に抵抗するような形で互いに結合するように、磁気を有していてもよい。様々な実施形態では、接点２４、２６、３４および３６が、接点間での確実な電気結合を保証する、対応する雄型１９と雌型１７の位置決め構造を有していてもよい。
【００１９】
図４Ａ−Ｄは、様々な実施形態に係る例示的なＴＣＥ２０の分解図（Ａ）、上面図（Ｂ）、側面図（Ｃ）および底面図（４Ｄ）をそれぞれ示す。図５Ａ−Ｄは、フットウェアの対応するフットベッド部分３０の一例の分解図（Ａ）、上面図（Ｂ）、底面図（Ｃ）および側面図（Ｄ）をそれぞれ示す。図４Ａ−Ｄに示すように、一部の実施形態では、接点２４、２６がＴＣＥ２０の後部に配置されてもよい。図４Ａの実施形態に示されるように、導体２２は、例えばAludirome（登録商標）などのＦｅＣｒＡｌ合金である金属素子を含んでもよく、ＰＥＸフィルムまたはＰＩフィルムなどの基板２３の層間に挟まれてＴＣＥ２０を形成してもよい。接点２４、２６は、例えば接着フィルム２７を用いて導体２２の上側に結合される磁気ボタン２５を備えていてもよい。対応する金属ボタン２９が導体２２の下側に結合され、フットベッド３０の接点３４、３６と連結するように構成されてもよい。
【００２０】
図５Ａ−Ｄに示すように、様々な実施形態では、フットウェアのフットベッド３０が上面４２に配置された対応する電気接点３４、３６を有してもよい。ライナー１０がフットウェア内に配置されると、ライナーの接点２４、２６とフットベッドの接点３４、３６との間に接触インタフェースが作られ、これによって電気結合が完成する。電気インタフェースが一旦作られると、電源（図示せず）によって提供される電力がＴＣＥ２０（図示せず）の導体２２にエネルギーを与え、ライナー温度を増減させる。これによって、フットウェアの温度を変更する。図５Ａに示すように、電気接点３４、３６は、例えばAudirome（登録商標）などのＦｅＣｒＡｌ合金である金属導体３３を含んでもよく、ＰＥＸフィルムまたはＰＩフィルムなどの基板３５の層間に挟まれていてもよい。一部の実施形態では、追加の金属ボタン３７および／または接着剤３９が接点３４、３６の下に配置され、例えば支持部材またはスペーサとして機能してもよい。
【００２１】
図４および５に示すように、対応するライナー／フットベッド接点を用いて確実な電気的結合がなされるように、また、使用中に遭遇する水または破片の進入やライナー１０のずれにもかかわらず確実な電気的結合が行われ維持されるように、ライナー接点２４、２６および／またはフットベッド接点３４、３６のサイズが大きくてもよい。一部の実施形態では、ライナー接点２４、２６が約０．５平方インチ以上の直径を有してもよい。
【００２２】
さらに、一部の実施形態では、ライナー１０および／またはフットベッド３０のほぼ両端または両側に、接点２４、２６および／または接点３４、３６を配置してもよい。接点を分離すると、望ましくない接触と、システムの短絡を避けるのに役立つ。他の実施形態では、図１および２に示すように、接点２４、２６および／または接点３４、３６が、ほぼ隣接してまたは互いに非常に近接する範囲に配置されてもよい。様々な実施形態では、活動中の着用者の体重の大半を支える足のかかとおよび／または拇指球領域の下に、接点２４、２６および／または接点３４、３６を配置すると有利である。一部の実施形態では、この配置は、対応する接点間での接触をより良好かつ一定にするのに役立つ。加えて、一部の実施形態では、ライナー接点２４、２６のサイズが、フットベッド接点３４、３６のサイズより小さくてもよい。このサイズ差は、ライナー接点２４および／または２６が対応するフットベッド接点３４および／または３６と良好に位置決めされ接触することを保証する。他の実施形態では、フットベッド接点３４、３６がライナー接点２４、２６より小さくてもよい。
【００２３】
図６は、様々な実施形態に係る温度調節システムの様々な部分の模式的な部品を示す。様々な実施形態では、ＴＣＥ２０がフットウェアライナー（図示せず）内に配置され、露出した接点グループ２８を備えていてもよい。ライナーがフットウェア内に挿入されたときに、接点グループ２８の接点と電気的に結合するような態様で、対応するフットベッド接点グループ３８がフットウェア（図示せず）内に配置されてもよい。接点グループ３８の接点が、フットウェア上の所望の位置に配置可能であるコントローラ５０および電源６０と電気的に結合されてもよい。コントローラ５０および電源６０は、別々の部品であってもよいし一体化された部品であってもよい。
【００２４】
一部の実施形態では、コントローラ５０は、電源６０によってＴＣＥ２０に供給される電流を調節し制御するように構成された集積回路ベースのシステムであってもよい。アクチュエータ５５がコントローラ５０に電気的に結合され、例えば複数の設定（例えば高、中、低、オフ）で構成されてもよい。様々な実施形態では、例えばフットウェアの内部温度または所定の設定に基づきライナーの温度を調節可能である電気サーモスタットを設定するように、アクチュエータ５５が構成されてもよい。一部の実施形態では、例えばＵＳＢコネクタ８２を介して電源６０またはコントローラ５０がＡＣ／ＤＣアダプタ８０と取り外し可能に結合し、例えば電源６０を再充電するように構成されてもよい。様々な実施形態では、クイックリリースカプラ３３、ミニＵＳＢアダプタ６１、または当業者には既知である他の電気インタフェースまたはプラグ６３を備える電線管３１によって、ＴＣＥ２０、コントローラ５０、電源６０およびアクチュエータ５５が互いに取り外し可能に結合されてもよい。
【００２５】
様々な実施形態では、温度制御フットウェアの機能を高めるようにコントローラ５０がプログラム可能であってもよい。例えば、既知のインタフェース接続８２、６１（例えば、ＵＳＢまたはマイクロＵＳＢ）を介して、コンピュータまたは携帯デバイスに結合されるようにコントローラ５０が構成されていてもよい。種々の設定と関連する温度範囲、ライト／インジケータ効果、および／または時間サイクルなどの様々なパラメータを修正可能であってもよい。様々な実施形態では、トランシーバなどの無線インタフェース部品がコントローラ５０に結合されまたはコントローラ５０と一体化されてもよく、これによりコントローラ設定の遠隔制御および操作が可能になる。
【００２６】
様々な実施形態では、アクチュエータ５５を例えばリテーナ５８によりフットウェアに取り外し可能に結合してもよい。フットウェアを交換することなく、様々なカスタマイズ化されたアクチュエータ５５を使用することができる。例えば、コントローラ５０に異なるロゴ（例えば、大学のロゴ、ブランド名および／またはイメージ、スポーツチームのロゴ）が配置されてもよいし、学校、チームまたはブランドのカラーなどの所望の色でロゴが光るように構成してもよい。一部の実施形態では、既知の様々な方法でアクチュエータ５５をフットウェアに取り外し可能に結合することができる。
【００２７】
図７Ａ−Ｃは、ＴＣＥ２０の一実施形態を備えるフットウェアの一例の左側面図（Ａ）、右側面図（Ｂ）および背面図（Ｃ）を示す。図７Ａ−Ｃに示すように、コントローラ５０、電源６０、アクチュエータ５５および電気コネクタとその間の電線管を収容可能な受け入れポケット、スロットまたは溝がフットウェアに設けられていてもよい。例えば、図示の例では、コントローラ５０と電源６０がフットウェア上部の一側に配置され、アクチュエータ５５がフットウェア上部の他側に配置されてもよい。一部の実施形態では、アクチュエータ５５がユーザにより起動されると、コントローラ５０が電源６０からＴＣＥ２０に電力を運び、導体２２が作動してライナー１０を加熱または冷却してもよい。一部の実施形態では、例えば清掃、修理、または壊れ破れ汚れた部品の交換のために、コントローラ５０、電源６０、アクチュエータ５５、ライナー１０および／または電気コネクタとその間の電線管がユーザによって取り外されてもよい。同じく、この単一の部品を実施形態では、システム全体を交換することなく、交換または修理のために取り外すことができる。同様に、一部の実施形態では、フットウェアが汚れて洗浄する必要があるとき、システムの部品をフットウェアから取り外すことができる。
【００２８】
特定の実施形態について図解し説明してきたが、当業者であれば、発明の範囲から逸脱することなく、広範囲の代替実施形態および／または等価の実施形態、あるいは同様の目的を達成するように計算された実装で、図示し説明した実施形態を置換可能であることを理解するであろう。当業者は、多種多様な方法で実施形態を実装できることを理解するである。この出願は、本明細書で議論された実施形態の任意の適用形態および変形形態を包含するように意図されている。したがって、特許請求の範囲およびその等価物によってのみ、実施形態が限定されることが明確に意図されている。
【図１Ａ】
2013509964.tif 000003
【図１Ｂ】
2013509964.tif 000004
【図１Ｃ】
2013509964.tif 000005
【図２】
2013509964.tif 000006
【図３Ａ】
2013509964.tif 000007
【図３Ｂ】
2013509964.tif 000008
【図４−１】
2013509964.tif 000009
【図４−２】
2013509964.tif 000010
【図５Ａ】
2013509964.tif 000011
【図５Ｂ】
2013509964.tif 000012
【図５Ｃ】
2013509964.tif 000013
【図５Ｄ】
2013509964.tif 000014
【図６】
2013509964.tif 000015
【図７Ａ】
2013509964.tif 000016
【図７Ｂ】
2013509964.tif 000017
【図７Ｃ】
2013509964.tif 000018
【国際調査報告】
2013509964.tif 000019
2013509964.tif 000020
2013509964.tif 000021